【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
基地局から限定されたサービスエリアの少なくとも１つの無線通信装置に無線通信システムのサービスエリアを拡張するための信号エンハンサーにおいて、
基地信号に応答して増幅基地局信号を発生するための増幅ダウンリンク信号路と、無線通信装置からのユーザ信号に応答して増幅ユーザ信号を発生するための増幅アップリンク信号路からなる双方向増幅器と、
双方向増幅器に接続され、第１極性状態を有するドナーダウンリンク部分と第１極性状態と直交する第２極性状態を有するドナーアップリンク部分からなるドナーデュアル偏波アンテナと、
双方向増幅器に接続され、第２極性状態を有するサーバーダウンリンク部分と第１極性状態を有するサーバーアップリンク部分からなるサーバーデュアル偏波アンテナとからなり、
前記ダウンリンク信号路がドナーダウンリンク部分とサーバーダウンリンク部分間に接続され、
前記アップリンク信号路がドナーアップリンク部分とサーバーアップリンク部分間に接続されることを特徴とする信号エンハンサー。
【請求項２】
前記両信号路はユーザポータブルユニットに包含され、前記双方向増幅器はさらに変化する信号レベルの検出に応答して各信号路の利得を調整するための可変利得制御システムからなることを特徴とする請求項１記載のエンハンサー。
【請求項３】
前記可変利得制御システムは、前記ダウンリンク信号路において所定の動作信号レベルが達成されるまで又は最大所定利得レベルが達成されるまで、前記両信号路の利得を増加するように機能することを特徴とする請求項２記載のエンハンサー。
【請求項４】
前記可変利得制御システムは、少なくとも前記ダウンリンク信号路の出力レベルをモニタし、該出力レベルが所定の限界値を超えた場合に前記両信号路の出力レベルを減少するように機能することを特徴とする請求項３記載のエンハンサー。
【請求項５】
前記可変利得制御システムは、少なくとも前記アップリンク信号路の出力レベルを監視し、該出力レベルが所定の限界値を超えた場合に前記アップリンク信号路の出力レベルを減少するように機能することを特徴とする請求項３記載のエンハンサー。
【請求項６】
前記可変利得制御システムは、ダウンリンク信号路の出力レベルをモニタし、該出力レベルが所定の限界値を超えた場合に前記両信号路のための出力レベルを減少するように機能し、前記可変利得制御システムはさらに前記アップリンク信号路の出力レベルをモニタし、該出力レベルが所定の限界値を超えた場合に前記アップリンク信号路のための出力レベルを減少するように機能することを特徴とする請求項２記載のエンハンサー。
【請求項７】
基地局からの基地局信号の受信との関係において適当な位置にユニットを搭載するための搭載スタンドをさらに有することを特徴とする請求項１記載のエンハンサー。
【請求項８】
前記ドナーデュアル偏波アンテナはドナーアンテナ素子のアレイからなり、
前記ドナーダウンリンク部分は各ドナーアンテナ素子と関連した少なくとも１つのダウンリンクアンテナフィード素子からなり、
前記ドナーアップリンク部分は各ドナーアンテナ素子と関連した少なくとも１つのアップリンクアンテナフィード素子からなり、
前記サーバーデュアル偏波アンテナはサーバーアンテナ素子のアレイからなり、
前記サーバーダウンリンク部分は各サーバーアンテナ素子と関連した少なくとも１つのダウンリンクアンテナフィード素子からなり、
前記サーバーアップリンク部分は各サーバーアンテナ素子と関連した少なくとも１つのアップリンクアンテナフィード素子からなることを特徴とする請求項１記載のエンハンサー。
【請求項９】
基地局からの基地局信号の受信との関係において適当な位置にユニットを搭載するためのフリースタンディング搭載スタンドをさらに有することを特徴とする請求項２記載のエンハンサー。
【請求項１０】
アンテナは隣接するアンテナと背中合わせ方向に配置されていることを特徴とする請求項１記載のエンハンサー。
【請求項１１】
各アンテナは複数のパッチラジエータを有するアンテナアレイからなることを特徴とする請求項１記載のエンハンサー。
【請求項１２】
各アンテナは、アンテナのバンド幅を増加するために各アレイアンテナから間隔をあけた非励振パッチアンテナアレイをさらに有することを特徴とする請求項１１記載のエンハンサー。
【請求項１３】
前記双方向増幅器は、前記アップリンク及びダウンリンク信号路の各々に少なくとも１つのバンドパスフィルタをさらに有し、該フィルタは信号路間の絶縁を増加するために信号交差の近くに送信ゼロを有することを特徴とする請求項１記載のエンハンサー。
【請求項１４】
無線通信システムのサービスエリアを拡張するためのポータブル信号エンハンサーにおいて、
一対の対面する表面を有し、第１の位置から第２の位置への手動による移動を支持する大きさと重さを有する筐体と、
ドナーダウンリンク部分とドナーアップリンク部分からなり前記表面の一方に搭載されるドナーアンテナと、
サーバーダウンリンク部分とサーバーアップリンク部分からなり他方の表面に搭載されるサーバーアンテナと、
前記筐体内に搭載され、ダウンリンク信号路内の前記ドナー及びサーバーダウンリンク部分を接続し、アップリンク信号路内の前記ドナー及びサーバーアップリンク部分を接続する双方向増幅器とからなり、
前記ドナーダウンリンク及びアップリンク部分は異なる極性状態を有し、前記サーバーダウンリンク及びアップリンク部分は異なる極性状態を有し、前記ドナー及びサーバーダウンリンク部分は異なる極性状態を有し、前記ドナー及びサーバーアップリンク部分は異なる極性状態を有することを特徴とするエンハンサー。
【請求項１５】
ポータブル信号拡張ユニットの双方向増幅器（ＢＤＡ）のためのダウンリンク信号路内の利得とアップリンク信号路内の利得を制御する方法において、
前記信号拡張ユニットに最初に供給する電力に応答して、所定の動作信号レベルが前記信号路の１つで達成されるまで又は最大所定利得レベルがダウンリンク信号路で達成されるまで、前記ダウンリンク信号路及びアップリンク信号路の利得を増加することによりＢＤＡの初期状態を確立する工程と、
前記ダウンリンク信号路の出力レベルをモニタし、第１の閾値を超える出力レベルの検出に応答して、前記ダウンリンク信号路及び前記アップリンク信号路のための出力レベルを減少する工程と、
前記アップリンク信号路の出力レベルをモニタし、第２の閾値を超える出力レベルの検出に応答して、前記ダウンリンク信号路及び前記アップリンク信号路のための出力レベルを減少する工程とからなることを特徴とする方法。
【請求項１６】
ある時間帯の前記第１の閾値又は前記第２の閾値を超える信号路の１つの出力レベルの検出に応答して、前記信号拡張ユニットへの電力をさえぎることにより電力低下状態を確立する工程をさらに有することを特徴とする請求項１５記載の方法。
【請求項１７】
無線通信システムのサービスエリアを拡張するためのポータブル信号エンハンサーにおいて、
一対の対面する表面を有する筐体と、
他方の表面に搭載されたアンテナのものとは反対の方向にエネルギーを放出するために各表面に搭載されたデュアル偏波アンテナであり、各デュアル偏波アンテナは各々がダウンリンク部分及びアップリンク部分からなる１つ以上のデュアル偏波アンテナ素子からなるデュアル偏波アンテナと、
前記筐体内に搭載され、前記デュアル偏波アンテナ間に延びるアップリンク及びダウンリンク信号路に作用する信号を増幅するための双方向増幅器（ＢＤＡ）とからなり、
前記ダウンリンク信号路は前記デュアル偏波アンテナのダウンリンク部分間の干渉偏波からなり、
前記アップリンク信号路は前記デュアル偏波アンテナのアップリンク部分間の干渉偏波からなることを特徴とするエンハンサー。
【請求項１８】
無線通信システムのサービスエリアを拡張するための信号エンハンサーにおいて、
ドナーダウンリンク部分及びドナーアップリンク部分からなるドナーアンテナと、
サーバーダウンリンク部分及びサーバーアップリンク部分からなるサーバーアンテナと、
ダウンリンク信号路内の前記ドナー及びサーバーダウンリンク部分を接続し、アップリンク信号路内の前記ドナー及びサーバーアップリンク部分を接続する双方向増幅器とからなり、
前記ドナーダウンリンク及びアップリンク部分は異なる極性状態を有し、前記サーバーダウンリンク及びアップリンク部分は異なる極性状態を有し、前記ドナー及びサーバーダウンリンク部分は異なる極性状態を有し、前記ドナー及びサーバーアップリンク部分は異なる極性状態を有することを特徴とするエンハンサー。
【請求項１９】
無線通信システムのサービスエリアを拡張するための信号エンハンサーにおいて、
各々が異なる極性状態を有するドナーダウンリンク部分及びドナーアップリンク部分からなる１つ以上のドナーデュアル偏波アンテナ素子からなるドナーアンテナと、
各々が異なる極性状態を有するサーバーダウンリンク部分及びサーバーアップリンク部分からなる１つ以上のサーバーデュアル偏波アンテナ素子からなるサーバーアンテナと、
ダウンリンク信号路内の前記ドナー及びサーバーダウンリンク部分を接続し、アップリンク信号路内の前記ドナー及びサーバーアップリンク部分を接続する双方向増幅器とからなることを特徴とするエンハンサー。
【請求項２０】
前記ドナー及びサーバーダウンリンク部分は異なる極性状態を有し、
前記ドナー及びサーバーアップリンク部分は異なる極性状態を有することを特徴とする請求項１９記載の信号エンハンサー。
【請求項２１】
前記ドナーアンテナはドナーアンテナ素子のアレイからなり、
前記ドナーダウンリンク部分は各ドナーアンテナ素子と関連した少なくとも１つのダウンリンクアンテナフィード素子からなり、
前記ドナーアップリンク部分は各ドナーアンテナ素子と関連した少なくとも１つのアップリンクアンテナフィード素子からなり、
前記サーバーアンテナはサーバーアンテナ素子のアレイからなり、
前記サーバーダウンリンク部分は各サーバーアンテナ素子と関連した少なくとも１つのダウンリンクアンテナフィード素子からなり、
前記サーバーアップリンク部分は各サーバーアンテナ素子と関連した少なくとも１つのアップリンクアンテナフィード素子からなることを特徴とする請求項１８記載のエンハンサー。
【請求項２２】
前記双方向増幅器は５０ナノ秒以下の群遅延で前記ドナー及びサーバーアンテナ間に信号を送信するように配置されることを特徴とする請求項１８記載の信号エンハンサー。
【請求項２３】
無線通信システムのサービスエリアを拡張するための信号エンハンサーにおいて、
異なる極性状態を有するドナーダウンリンク部分及びドナーアップリンク部分からなるドナーアンテナと、
異なる極性状態を有するサーバーダウンリンク部分及びサーバーアップリンク部分からなるサーバーアンテナと、
ダウンリンク信号路内の前記ドナー及びサーバーダウンリンク部分を接続し、アップリンク信号路内の前記ドナー及びサーバーアップリンク部分を接続する双方向増幅器とからなることを特徴とする信号エンハンサー。
【請求項２４】
前記双方向増幅器は５０ナノ秒以下の群遅延で前記ドナー及びサーバーアンテナ間に信号を送信するように配置されることを特徴とする請求項２３記載の信号エンハンサー。